(57)【要約】【課題】箱状への組み立て作業の容易な折り畳み箱を提供する。【解決手段】対向する一対の第１側板と、対向する一対の第２側板であって、前記一対の第１側板と前記一対の第２側板とで筒状をなすように、前記一対の第１側板に対してそれぞれ揺動可能に接続された第２側板と、前記一対の第１側板にそれぞれ一端を接続され且つ互いに他端を接続された一対の底板であって、前記第１側板に接続された一端を軸としてそれぞれ内方に折り畳み可能とされ、前記一対の第２側板に形成された支持部によって外方への抜け落ちを規制された底板と、を具備し、前記一対の第２側板は、それぞれ少なくとも１本の折れ線を有し、前記第１側板に接続された両端をそれぞれ軸として外方に折り畳み可能とする。【選択図】図３
2011068359.tif 000002
【特許請求の範囲】
【請求項１】
対向する一対の第１側板と、
対向する一対の第２側板であって、前記一対の第１側板と前記一対の第２側板とで筒状をなすように、前記一対の第１側板に対してそれぞれ揺動可能に接続された第２側板と、
前記一対の第１側板のうち少なくとも一方の第１側板に一端を接続された底板であって、前記第１側板に接続された一端を軸として内方に折り畳み可能とされ、前記一対の第１側板のうち他方の第１側板又は前記一対の第２側板に形成された支持部によって外方への抜け落ちを規制された底板と、
を具備し、
前記一対の第２側板は、それぞれ少なくとも１本の折れ線を有し、前記第１側板に接続された両端をそれぞれ軸として外方に折り畳み可能とされた、折り畳み箱。
【請求項２】
前記底板は、前記一対の第１側板にそれぞれ一端を接続され且つ互いに他端を接続された一対の底板であって、前記第１側板に接続された一端を軸としてそれぞれ内方に折り畳み可能とされ、前記一対の第２側板に形成された支持部によって外方への抜け落ちを規制された、請求項１記載の折り畳み箱。
【請求項３】
前記底板の少なくとも外面に孔が形成され、前記第２側板に形成された支持部に、前記孔に引掛かる突起部が形成された、請求項２記載の折り畳み箱。
【請求項４】
前記一対の第２側板は、それぞれ複数の折れ線を有する、請求項１乃至３の何れか一項記載の折り畳み箱。
【発明の詳細な説明】
【技術分野】
【０００１】
本発明は、折り畳み可能な箱に関する。
【背景技術】
【０００２】
物品を収容し整理整頓するために使用される箱は、物品を収容しないときには嵩張るだけであるので、箱を折り畳んでコンパクト化できることが望ましい。箱を折り畳む態様としては、多種多様のものが知られている。例えば、対向する一対の側板をそれぞれ中央で折り曲げることによって箱を折り畳む場合には、一対の側板を内方に折り曲げるものがほとんどである（例えば下記の特許文献１）。
【０００３】
特許文献１においては、対向する平らな側板を、対向する折り畳み可能な側板で連結し、折り畳み可能な側板の下縁に折り返し片を設け、この折り返し片に着脱可能に係合する係合片を両側に有し両開き可能な一対の底板を設けてなる折り畳み箱が開示されている。
【０００４】
しかしながら、特許文献１のように一対の側板を内方に折り曲げることによって折り畳んだ場合には、これを箱状に組み立てる際には一対の側板を外方に押し広げる必要がある。外方に押し広げる動作を粗雑に行ってしまうと、側板が必要以上に外方に折れ曲がってしまい、所望の箱状に組み立てられなかったり、条件によっては側板の折り曲げ部のヒンジが破損したりする場合がある。
【先行技術文献】
【特許文献】
【０００５】
【特許文献１】実公昭５５−６３４７号公報
【発明の概要】
【発明が解決しようとする課題】
【０００６】
そこで本発明は、箱状への組み立て作業の容易な折り畳み箱を提供することを目的とする。
【課題を解決するための手段】
【０００７】
上記課題を解決するため、本発明の１つの観点に係る折り畳み箱は、
対向する一対の第１側板と、
対向する一対の第２側板であって、前記一対の第１側板と前記一対の第２側板とで筒状をなすように、前記一対の第１側板に対してそれぞれ揺動可能に接続された第２側板と、
前記一対の第１側板のうち少なくとも一方の第１側板に一端を接続された底板であって、前記第１側板に接続された一端を軸として内方に折り畳み可能とされ、前記一対の第１側板のうち他方の第１側板又は前記一対の第２側板に形成された支持部によって外方への抜け落ちを規制された底板と、
を具備し、
前記一対の第２側板は、それぞれ少なくとも１本の折れ線を有し、前記第１側板に接続された両端をそれぞれ軸として外方に折り畳み可能とする。
【０００８】
これによれば、底板を内方に折り畳み可能とし、一対の第２側板をそれぞれ外方に折り曲げ可能とする構成を有する。従って、箱状に組み立てる際には一対の第２側板をそれぞれ内方に押し縮めることとなり、その内方には底板が存在するので、一対の第２側板が必要以上に内方に折れ曲がってしまうことを防ぎ、組み立て作業が容易となる。
【図面の簡単な説明】
【０００９】
【図１】本発明の一実施形態に係る折り畳み箱の折り畳み状態を示す斜視図（Ａ）及び平面図（Ｂ）である。
【図２】上記実施形態に係る折り畳み箱を途中まで開いた状態を示す斜視図（Ａ）及び平面図（Ｂ）である。
【図３】上記実施形態に係る折り畳み箱の組み立て状態を示す斜視図（Ａ）及び平面図（Ｂ）である。
【図４】上記実施形態に係る折り畳み箱の分解斜視図である。
【図５】上記実施形態に係る折り畳み箱を２つ重ねた状態を示す斜視図である。
【発明を実施するための形態】
【００１０】
以下、本発明の一実施形態に係る折り畳み箱について、図面を参照しながら詳しく説明する。
図１〜図３は、本発明の一実施形態に係る折り畳み箱の斜視図（Ａ）及び平面図（Ｂ）であり、図１は箱を折り畳んだ状態、図２は途中まで開いた状態、図３は箱状への組み立てが完了した状態を示している。
図４は、上記実施形態に係る折り畳み箱の分解斜視図である。
【００１１】
＜１．構成＞
本実施形態の折り畳み箱は、第１側板１０Ａ、１０Ｂと、第２側板２０Ａ、２０Ｂと、底板３０とを具備している。
【００１２】
＜１−１．第１側板１０Ａ、１０Ｂ＞
第１側板１０Ａ、１０Ｂは、対向する一対の板である。それぞれほぼ長方形をなす第１側板１０Ａ及び第１側板１０Ｂの上方寄りには、握り用の穴１１Ａ、１１Ｂ（図２参照）がそれぞれ形成されている。
【００１３】
＜１−２．第２側板２０Ａ、２０Ｂ＞
第２側板２０Ａ、２０Ｂは、対向する一対の板である。
ほぼ長方形をなす第２側板２０Ａの中央寄りには、それぞれ外方に折り曲げ可能な３本の縦折れ線５１Ａ、５２Ａ、５３Ａ（図３参照）が形成されており、これらの縦折れ線によって、第２側板２０Ａは４枚の構成板２１Ａ、２２Ａ、２３Ａ、２４Ａに分けられる。構成板２２Ａ及び２３Ａの幅はほぼ等しく、構成板２２Ａ及び２３Ａより幅の広い構成板２１Ａ及び２４Ａの幅はほぼ等しい。従って、構成板２１Ａ及び２２Ａの幅の合計と構成板２３Ａ及び２４Ａの幅の合計はほぼ等しい。
【００１４】
構成板２１Ａ及び２４Ａの下方寄りには、それぞれ支持板４１Ａ、４２Ａが貼り付けられているとともに、支持穴２７Ａ、２８Ａが形成されている。支持板４１Ａ、４２Ａの支持面と、支持穴２７Ａ、２８Ａの支持面とは、同じ高さに位置する。また、支持穴２７Ａ、２７Ｂ、２８Ａ、２８Ｂの縦方向の長さは、底板３０の厚みの２倍以上の長さに形成されている。
なお、第２側板２０Ａについて上述した事項は、第２側板２０Ｂについても同様である。
【００１５】
第１側板１０Ａ、第２側板２０Ａ（構成板２１Ａ、２２Ａ、２３Ａ、２４Ａ）、第１側板１０Ｂ、第２側板２０Ｂ（構成板２４Ｂ、２３Ｂ、２２Ｂ、２１Ｂ）は、この順で横方向に接続され、全体として筒状をなしている。
第１側板１０Ａ及び１０Ｂと第２側板２０Ａ及び２０Ｂとの接続や、構成板２１Ａ〜２４Ａ相互間及び構成板２１Ｂ〜２４Ｂ相互間の接続は、これらの板によって構成される筒の内側から、紙や布などの柔らかく丈夫なシートを貼り付けることによって実現されている。これらの接続部は、少なくとも図１に示す折り畳み状態における接続角度と、図３に示す組み立て状態における接続角度との間において、揺動可能になっている。
【００１６】
＜１−３．底板３０＞
底板３０は、一対の底板３０Ａ、３０Ｂを含んでいる。底板３０Ａは、第１側板１０Ａに一端を接続され、底板３０Ｂは、第１側板１０Ｂに一端を接続されている。そして、底板３０Ａの他端と底板３０Ｂの他端とが、互いに接続されている。
底板３０Ａ、３０Ｂの第２側板２０Ａ寄りにはそれぞれ凸状部３１Ａ、３２Ａが形成され、第２側板２０Ｂ寄りにはそれぞれ凸状部３１Ｂ、３２Ｂが形成されている。
【００１７】
図１に示されるように、底板３０（凸状部３１Ａ、３２Ａ、３１Ｂ、３２Ｂを除く）の長さは、第１側板１０Ａ、１０Ｂの長さと同寸であり、この長さは、更に図３に示されるように、第２側板２０Ａと２０Ｂとの、箱の内面間の距離と等しい。同様に、底板３０Ａ及び３０Ｂの幅の合計は、第２側板２０Ａの幅（構成板２１Ａ、２２Ａ、２３Ａ、２４Ａの幅の合計）と同寸であり、この幅は、第１側板１０Ａと１０Ｂとの、箱の内面間の距離と等しい。
【００１８】
底板３０Ａと第１側板１０Ａとの接続や、底板３０Ｂと第１側板１０Ｂとの接続は、上記の側板及び底板によって構成される箱の内側から、紙や布などの柔らかく丈夫なシートを貼り付けることによって実現されている。一方、底板３０Ａと底板３０Ｂとの接続は、箱の外側（図示下側）から、紙や布などの柔らかく丈夫なシートを貼り付けることによって実現されている。従って、底板３０Ａ及び３０Ｂは、第１側板１０Ａ及び１０Ｂにそれぞれ接続された一端を軸として内方に折り畳み可能となっている。
【００１９】
底板３０Ａは、一対の第２側板２０Ａ、２０Ｂに貼り付けられた支持板４１Ａ、４１Ｂによって、外方（図示下方）への抜け落ちが規制され、底板３０Ｂは、一対の第２側板２０Ａ、２０Ｂに貼り付けられた支持板４２Ａ、４２Ｂによって、外方（図示下方）への抜け落ちが規制されている。また、第２側板２０Ａ、２０Ｂに形成された支持穴２７Ａ、２７Ｂには、底板３０Ａの凸状部３１Ａ、３１Ｂが挿入され、第２側板２０Ａ、２０Ｂに形成された支持穴２８Ａ、２８Ｂには、底板３０Ｂの凸状部３２Ａ、３２Ｂが挿入されるので、これらの支持穴２７Ａ、２７Ｂ、２８Ａ、２８Ｂによっても、底板３０Ａ、３０Ｂが外方（図示下方）へ抜け落ちることが規制されている。
【００２０】
図４に示すように、底板３０の凸状部３１Ａ、３１Ｂ、３２Ａ、３２Ｂの根元付近には、孔３３Ａ、３３Ｂ、３４Ａ、３４Ｂが形成されている。これらの孔３３Ａ、３３Ｂ、３４Ａ、３４Ｂは、第１側板１０Ａ又は１０Ｂと底板３０Ａ又は３０Ｂとを接続するための上述のシートによって箱の内方の面を塞がれるので、図１〜図３には示していないが、少なくとも外方の面においては孔３３Ａ、３３Ｂ、３４Ａ、３４Ｂが開口している。
また、図４に示すように、一対の第２側板２０Ａ、２０Ｂに貼り付けられた支持板４１Ａ、４１Ｂ、４２Ａ、４２Ｂは、それぞれ２枚の薄い板からなり、そのうちの１枚の薄い板に突起部４３Ａ、４３Ｂ、４４Ａ、４４Ｂがそれぞれ形成されている。
支持穴２７Ａ、２７Ｂ、２８Ａ、２８Ｂに、底板３０の凸状部３１Ａ、３１Ｂ、３２Ａ、３２Ｂが挿入されると、底板３０の孔３３Ａ、３３Ｂ、３４Ａ、３４Ｂに、突起部４３Ａ、４３Ｂ、４４Ａ、４４Ｂが挿入される。従って、箱の組み立て後に第２側板２０Ａ、２０Ｂが外方に広がってしまうことを防止できる。
【００２１】
＜２．動作＞
図１に示す折り畳み状態から図３に示す組み立て状態となるように箱を組み立てる際には、以下のように動作する。
【００２２】
まず、握り用の穴１１Ａ、１１Ｂにそれぞれ片手ずつを挿入して第１側板１０Ａ及び１０Ｂの上方寄りを掴み、第１側板１０Ａ及び第１側板１０Ｂを外方に広げる。すると、図２に示すように、折り曲げられていた第２側板２０Ａ、２０Ｂ、底板３０が伸びはじめ、「Ｖ」字状となる。このとき、底板３０Ａ、３０Ｂが互いに接続されているので、底板３０Ａ、３０Ｂが長さ方向にずれることがない。従って、第１側板１０Ａ、１０Ｂも、互いの距離が変化するだけで、第１側板１０Ａ、１０Ｂが長さ方向にずれることがない。そして、第２側板２０Ａ、２０Ｂの折り曲げ角度と、底板３０の折り曲げ角度とは、常にほぼ等しい角度で屈伸する。
【００２３】
折り曲げられていた第２側板２０Ａ、２０Ｂ、底板３０が伸びきる直前まで、第２側板２０Ａ、２０Ｂは伸びきっておらず、外方に広がった状態であるので、底板３０の凸状部３１Ａ、３１Ｂ、３２Ａ、３２Ｂと第２側板２０Ａ、２０Ｂと干渉することはない。そして、第２側板２０Ａ、２０Ｂ、底板３０が伸びきる直前には、底板３０の凸状部３１Ａ、３１Ｂ、３２Ａ、３２Ｂは、第２側板の支持穴２７Ａ、２７Ｂ、２８Ａ、２８Ｂに入れる程度の低い位置まで移動している。従って、図３に示すように、第２側板２０Ａ、２０Ｂ、底板３０が伸びきるときには、底板３０の凸状部３１Ａ、３１Ｂ、３２Ａ、３２Ｂが第２側板の支持穴２７Ａ、２７Ｂ、２８Ａ、２８Ｂに挿入される。そして、底板３０は、支持穴２７Ａ、２７Ｂ、２８Ａ、２８Ｂ及び支持板４１Ａ、４１Ｂ、４２Ａ、４２Ｂによってしっかりと支持される。
また、第２側板２０Ａ、２０Ｂが図３の状態より内方に縮むことは、底板３０によって規制される。従って、所望の箱状を構成するように第２側板２０Ａ、２０Ｂの形状が確実に規制される。そして、縦折れ線５１Ａ、５２Ａ、５３Ａにおいて４枚の構成板２１Ａ、２２Ａ、２３Ａ、２４Ａを接続しているシートが破損することが防止できる。
【００２４】
図３に示す組み立て状態から図１に示す折り畳み状態に折り畳む際は、上記と逆の動作をする。すなわち、底板３０の中央を軽く持ち上げつつ第２側板２０Ａ、２０Ｂを軽く押し広げると、底板３０と第２側板２０Ａ、２０Ｂが同時に折り曲げられる。図１に示すように底板３０が完全に折り曲げられれば折り畳み完了である。第２側板２０Ａは、３本の縦折れ線５１Ａ、５２Ａ、５３Ａを有しているので、少なくとも両端寄りの構成板２１Ａ、２４Ａは平行を保ち、支持板４１Ａ、４２Ａを挟んだまま確実に折り畳むことができる。
【００２５】
図５は、上記実施形態に係る折り畳み箱を２つ重ねた状態を示す斜視図である。図示するように、第１側板１０Ａ、１０Ｂの上端は、第２側板２０Ａ、２０Ｂの上端よりも上方に突出しており、第２側板２０Ａ、２０Ｂの下端は、第１側板１０Ａ、１０Ｂの下端よりも下方に突出している。本実施形態においては、これらの上方への突出高さと下方への突出高さが等しいので、図５に示すように折り畳み箱を複数重ねたときに上下の箱の側板に隙間ができないようになっている。そして、第１側板１０Ａ、１０Ｂと第２側板２０Ａ、２０Ｂとの間に段差があるので、箱が水平方向にずれにくいようになっている。
【００２６】
なお、以上においては、底板３０を２枚の底板３０Ａ、３０Ｂで構成したが、上記２枚分の面積を有する１枚の底板のみで構成しても良い。この場合は、一対の第１側板のうち何れか一方（例えば第１側板１０Ａ）のみに、上記２枚分の面積を有する１枚の底板の一端を接続する。またこの場合は、支持板４１Ａを他方の第１側板（第１側板１０Ｂ）に貼り付けても良い。
【符号の説明】
【００２７】
１０Ａ、１０Ｂ…第１側板、
１１Ａ、１１Ｂ…握り用の穴、
２０Ａ、２０Ｂ…第２側板、
２１Ａ、２２Ａ、２３Ａ、２４Ａ、２１Ｂ、２２Ｂ、２３Ｂ、２４Ｂ…構成板、
２７Ａ、２７Ｂ、２８Ａ、２８Ｂ…支持穴、
３０（３０Ａ、３０Ｂ）…底板、
３１Ａ、３１Ｂ、３２Ａ、３２Ｂ…凸状部、
３３Ａ、３３Ｂ、３４Ａ、３４Ｂ…孔、
４１Ａ、４１Ｂ、４２Ａ、４２Ｂ…支持板、
４３Ａ、４３Ｂ、４４Ａ、４４Ｂ…突起部、
５１Ａ、５２Ａ、５３Ａ、５１Ｂ、５２Ｂ、５３Ｂ…縦折れ線
【図１】
2011068359.tif 000003
【図２】
2011068359.tif 000004
【図３】
2011068359.tif 000005
【図４】
2011068359.tif 000006
【図５】
2011068359.tif 000007